(57)【要約】【課題】構成部材が少なく、設置が簡便に行え、非使用時に部材をしまっておくために小さな貯蔵施設で対応できる止水装置を提供する。【解決手段】床の上に鉛直方向へ立設された壁または柱の間の開口部を止水する止水装置であって、止水板と該止水板の背面に位置する背面支持部材と該止水板が設置される床に固定されるアンカーボルトと該止水板と該アンカーボルトを結合する弾性体を備え、前記背面支持部材が、前記床に略平行に置かれる水平部材と、該水平部材と蝶番で結合されて設置時に前記止水板と略平行に位置して前記止水板を背面から支える鉛直部材と該鉛直部材の上端近傍で蝶番で結合されて斜め下方へ延伸して前記水平部材に結合される斜め部材とを有し、前記弾性体が前記止水板を下方へ加圧するように前記アンカーボルトと前記止水板とを結合する。【選択図】図１
2019070280.tif 000002
【特許請求の範囲】
【請求項１】
床の上に鉛直方向へ立設された壁または柱の間の開口部を止水板と該止水板の背面に位置する背面支持部材と該止水板が設置される床に固定されるアンカーボルトと該止水板と該アンカーボルトを結合する弾性体を備える止水装置によって止水する止水方法であって、
前記背面支持部材により前記止水板に加わる水平方向の水圧を支え、前記弾性体により前記止水装置の底部と前記床との間が水密になるように前記床に向けて鉛直方向へ加圧して前記開口部の止水を行う止水方法。
【請求項２】
前記止水装置の左右の端部と該端部に接する部材との間及び前記止水装置の底部と前記床との間にシール材が設けられることを特徴とする請求項１に記載の止水方法。
【請求項３】
前記シール材が、弾性を有する独立発泡材で構成されることを特徴とする請求項２に記載の止水方法。
【請求項４】
床の上に鉛直方向へ立設された壁又は柱の間の開口部を止水する止水装置であって、
止水板と該止水板の背面に位置する背面支持部材と該止水板が設置される床に固定されるアンカーボルトと該止水板と該アンカーボルトを結合する弾性体を備え、
前記背面支持部材が、前記床に略平行に置かれる水平部材と、該水平部材と蝶番で結合されて設置時に前記止水板と略平行に位置して前記止水板を背面から支える鉛直部材と該鉛直部材の上端近傍で蝶番で結合されて斜め下方へ延伸して前記水平部材に結合される斜め部材とを有し、
前記弾性体が前記止水板を下方へ加圧するように前記アンカーボルトと前記止水板とを結合することを特徴とする止水装置。
【請求項５】
複数の前記止水板が蝶番で結合され、該蝶番による結合部分の少なくとも片面が止水部材で覆われることを特徴とする請求項４に記載の止水装置。
【請求項６】
前記止水装置の左右の端部に長さが前記止水板の高さと同等で断面がコの字型の端部固定部材が設けられ前記止水装置の左右の端部が前記端部固定部材に納められることを特徴とする請求項４又は５に記載の止水装置。
【請求項７】
前記止水装置の左右の端部と前記左右の端部が接する部材との間及び前記止水装置の底部と前記床の間にシール材が設けられることを特徴とする請求項4乃至６何れかに記載の止水装置。
【請求項８】
前記シール材が、独立発泡材で構成されることを特徴とする請求項７に記載の止水装置。
【請求項９】
前記止水装置の左右の端部の背面に端部背面支持部材が設けられ、該端部背面支持部材の前記水平部材が背面方向へ延伸され前記水平部材の端部付近に背面引張弾性体を取り付ける取付け部材が接続され、該取付け部材と前記止水板との間に前記背面引張弾性体が設けられ該背面引張弾性体が前記止水板を背面方向へ引張ることを特徴とする請求項4乃至８何れかに記載の止水装置。
【請求項１０】
前記背面引張弾性体による前記止水板を引張る位置が少なくとも前記止水板の下部を含むことを特徴とする請求項９に記載の止水装置。
【請求項１１】
前記止水装置が幅調整部を備え、該幅調整部が複数の互いに重なる幅調整板を有し一つの幅調整板に水平方向へ伸びる長穴が設けられ他の幅調整板に該長穴に挿通するボルトに螺合するナットが固定され、前記複数の幅調整板の間が水密になるように構成されることを特徴とする請求項４乃至１０何れかに記載の止水装置。
【発明の詳細な説明】
【技術分野】
【０００１】
本発明は、建物の外から流れ込む水を止水する止水装置に関する。
【背景技術】
【０００２】
従来、直立に立設された止水枠板と、この止水枠板を被覆する防水布と、を備えた洪水防止用止水板が提案されている（例えば、特許文献１参照）。特許文献１に記載された従来の止水装置は、洪水時に土嚢の代わりに用いられ、土嚢よりも容易に設置される。このような止水装置では、防水布のうち床に沿った部分（底面止水部）を水圧で抑え、直立した止水枠板に沿って設けられた部分（壁面止水部）によって止水される。
【先行技術文献】
【特許文献】
【０００３】
【特許文献１】特開２００４−２１８４１５号公報
【発明の概要】
【発明が解決しようとする課題】
【０００４】
しかしながら、特許文献１に記載された従来の洪水防止用止水板では、構成部材が多く、設置に手間がかかうえに、非使用時に部材をしまっておくために大きな貯蔵施設が必要になる。
【０００５】
また多くの部材を用いる従来の止水装置は重量が大きくなり設置も難しいという問題点がある。したがって、本発明の目的は、軽量で簡単に設置することができる止水装置を提供することにある。
【課題を解決するための手段】
【０００６】
本発明の止水方法は、床の上に鉛直方向へ立設された壁または柱の間の開口部を止水板と該止水板の背面に位置する背面支持部材と該止水板が設置される床に固定されるアンカーボルトと該止水板と該アンカーボルトを結合する弾性体を備える止水装置によって止水する止水方法であって、前記背面支持部材により前記止水板に加わる水平方向の水圧を支え、前記弾性体により前記止水装置の底部と前記床との間が水密になるように前記床に向けて鉛直方向へ加圧して前記開口部の止水を行う。
【０００７】
止水が必要な建物の開口部にアンカーボルトを設けそのアンカーボルトに沿って止水板を並べアンカーボルトと止水板とを弾性体で接続して下部に応力が加わるように加圧することで簡便に止水することができる。また水圧はアンカーボルトに固定される背面支持部材により支えられる。止水装置は複数の止水板を組み合わせて構成されるので非使用時の貯蔵が容易になる。
【０００８】
本発明の止水方法は、前記止水装置の左右の端部と該端部に接する部材との間及び前記止水装置の底部と前記床の間にシール材が設けられる。
【０００９】
止水装置の左右の端部に接する部材との間及び止水装置の底部と床の間にシール材が設けられるので、効果的に止水することができる。
【００１０】
本発明の止水方法は、前記シール材が弾性を有する独立発泡材で構成される。
【００１１】
シール材が弾性を有する独立発泡材なのでいろいろな形状の隙間を埋めて効果的に止水することができる。
【００１２】
本発明の止水装置は、床の上に鉛直方向へ立設された壁又は柱の間の開口部を止水する止水装置であって、止水板と該止水板の背面に位置する背面支持部材と該止水板が設置される床に固定されるアンカーボルトと該止水板と該アンカーボルトを結合する弾性体を備え、前記背面支持部材が、前記床に略平行に置かれる水平部材と、該水平部材と蝶番で結合されて設置時に前記止水板と略平行に位置して前記止水板を背面から支える鉛直部材と蝶番で結合されて斜め下方へ延伸して前記水平部材に結合される斜め部材とを有し、前記弾性体が前記止水板を下方へ加圧するように前記アンカーボルトと前記止水板とを結合する。
【００１３】
止水板と、該止水板の背面に沿って位置する背面支持部材と床に略平行な水平部材と前記の二つの部材をつないでできる形状が三角形になる斜め部材とを備える背面支持部材と、止水装置が設置される床に固定されるアンカーボルトと、止水装置を構成する止水板と該アンカーボルトを結合する弾性体を備え、弾性体が前記止水板を下方へ加圧するように前記アンカーボルトと前記止水板とを結合するので効果的に止水が行われる。
【００１４】
本発明の止水装置は、複数の前記止水板が蝶番で結合され、該蝶番による結合部分の少なくとも片面が止水部材で覆われる。
【００１５】
複数の止水板が蝶番で結合され該蝶番による結合部分の少なくとも片面が止水部材で覆われるので幅の広い開口部も簡便に止水することができる。
【００１６】
本発明の止水装置は、前記止水装置の左右の端部に長さが前記止水板の高さと同等で断面がコの字型の端部固定部材が設けられ前記止水装置の左右の端部が前記端部固定部材に納められる。
【００１７】
断面がコの字型の端部固定部材が建物などに設けられ前記止水装置の左右の端部が前記端部固定部材に納められるので端部の止水が効果的に行われる。
【００１８】
本発明の止水装置は、前記止水装置の左右の端部と前記左右の端部が接する部材との間及び前記止水装置の底部と前記床の間にシール材が設けられ、前記シール材が独立発泡材で構成される。
【００１９】
止水装置の左右の端部と前記左右の端部が接する部材との間及び前記止水装置の底部と床の間にシール材が設けられ、前記シール材が独立発泡材で構成されるので効果的に止水が行われる。
【００２０】
本発明の止水装置は、止水装置の左右の端部の背面に端部背面支持部材が設けられ、該端部背面支持部材の水平部材が背面方向へ延伸され前記水平部材の端部付近に背面引張弾性体を取り付ける取り付け部材が接続され、該取付け部材と前記止水板との間に前記背面引張弾性体が設けられ該背面引張弾性体が前記止水板止水板の下部と上部を背面方向へ加圧する。
【００２１】
端部背面支持部材の水平部材が背面に延伸されその端部と止水板が背面加圧弾性体により背面方向へ引っ張られるので止水板の端部が背面方向へ壁や柱などに押し付けられて止水効果が向上する。
【００２２】
本発明の止水装置は、背面引張弾性体による前記止水板を引張る位置が少なくとも前記止水板の下部を含む。
【００２３】
止水板の下部を背面方向へ引張ることで止水板を下方へ加圧する弾性体によるトルクを打ち消して背面方向へ加圧される止水板をほぼ鉛直に立設することができる。
【００２４】
本発明の止水装置は、幅調整部を備え、該幅調整部が互いに重なる複数の幅調整板を有し一つの幅調整版に水平方向へ伸びる長穴が設けられ他の幅調整版に該長穴に挿通するボルトに螺合するナットが固定され、前記複数の幅調整版の間が水密になるように構成される。  
【００２５】
互いに重なる複数の幅調整板の一つに水平方向へ伸びる長穴が設けられ他の幅調整版に該長穴に挿通するボルトに螺合するナットが固定されるので幅調整板の重なる幅が可変になる。
【図面の簡単な説明】
【００２６】
【図１】設置された止水装置の様子を示す説明図である。
【図２】複数の止水板で構成される止水装置の接合部の様子を示す説明図である。
【図３】背面支持部材の説明図である。
【図４】端部背面支持部材の説明図である。
【図５】幅調整部の説明図である。
【図６】アンカーボルトの説明図である。
【図７】扉が有る場合の止水装置の応用例の説明図である。
【発明を実施するための形態】
【００２７】
以下、本発明の実施形態を図面に基づいて説明する。図１に示す本実施形態の止水装置は、建物へ向かう水を止水して建物内部の浸水を防止するために、床や地面に立設される壁や柱の間の開口部を止水するように水平方向へ展開されて設置される。設置された止水板の上端と床に固定されたアンカーボルトとを弾性体で結合して鉛直方向へ加圧して止水する止水方法である。本実施形態において、止水装置の左右方向を幅方向とし、鉛直方向を上下方向とし、幅方向及び上下方向に略直交する方向を奥行方向とする。また、図１の止水装置の水が来る面を前面、後ろを背面とする。図１の右方が止水装置の背面となり左方が止水装置の前面となる。
【００２８】
止水板の背面にはアンカーボルト３により固定された背面支持部材２０が止水板の結合部５０や蝶番５１での結合部分及び止水板の中間点に配置されて止水板を背面から止水板に加わる水圧を支えている。
【００２９】
図１に示す止水装置１０は、主要構成部材の複数の止水板１を備え止水板１は結合部５０で結合され他の結合部は蝶番５１などで繋がれる。止水板は例えばベニヤ合板などの安価なものでよい。結合部５０や蝶番５１で結合される部分の少なくとも片面に止水部材として止水用のシートを貼ることで水が漏れないようにする。シート材は例えばポリエステル加工された塩化ビニールシートなどの合成樹脂材料を用いることが好適である。
【００３０】
また、止水板は防水用の塗装をすることで耐久性が増すことができる。止水シートは結合部だけでなく止水板全体を覆うように構成してもよい。蝶番５１で接続された止水板は折りたたむことで取り扱いが簡便になる。
【００３１】
使用する際に水平方向へ展開される止水装置は、その両端部を開口部を形成する柱や壁に当たるように設置される。止水装置の水平方向の両端部及び底部にはシール材が付着される。シール材はシール材が接する壁または柱や床へ押し付けられて水密な状態を作る。またシール材としては弾性のある独立発泡材が好適である。
【００３２】
止水装置の水平方向の両端部は壁又は柱の凹みにシール材を介して当たることで、水平方向及び後方への移動を阻止される。壁又は柱に適宜な凹みが無い場合は端部固定部材６０としてコの字型部材を壁又は柱或いは床へ接着剤などで固着するなどして止水装置の設置を行う。
【００３３】
止水板の背面にはアンカーボルト３により固定された背面支持部材２０が止水板の結合部５０や蝶番５１での接続部及び止水板の中間点に配置されて止水板を背面から支えている。
【００３４】
２枚の止水板を備える止水装置の背面図を図２（Ａ）に示す。図２（Ｂ）は２枚の止水板１が結合される結合部５０の拡大図である。止水板１は背面支持部材２０によって背面から支持される。またアンカーボルト３と止水板１の上端の間に弾性体４が張られ止水板１を下方へ加圧する。止水板の下端と床との間にはシール材を挟んで止水効果を高める。
【００３５】
止水板１の間の結合部５０の隙間が小さい場合は止水板の間にシール材７０を挿入して止水する。その際に力学的に安定化するためにＨ字部材用いてＨ字部材の間隙へ止水板１を嵌めてＨ字部材と止水板との隙間にシール材を充填してもよい。シール材としては弾性のある独立発泡材が好適であるが防水パテなどを用いてもよい。
【００３６】
図３に示す背面支持部材２０の説明をする。背面支持部材２０の使用状態を示す図３（Ａ）に示すように支持部材２０は床に略平行に置かれる水平部材８と、該水平部材８と蝶番７で結合されて設置時に前記止水板と略平行に位置して前記止水板を背面から支える鉛直部材１１と該鉛直部材５と蝶番６で結合されて斜め下方へ延伸して前記水平部材に結合される斜め部材２とを有する。
【００３７】
水平部材８は止水板に近い場所でアンカーボルト３により床へ固定される。また水平部材の背面へ延伸した部分にナット９が設けられ斜め部材２を蝶ボルト１５により固定する。蝶ボルト１５で斜め部材を固定する際に鉛直部材１１が止水板１へ接触するように調整可能にするために斜め部材には蝶ボルト１５が挿通される長穴を設けることが好適である。
【００３８】
アンカーボルト３と止水板１の上端部の間に張るゴムなどの弾性体４は止水板１を下方へ加圧して止水板１の下端と床との間のシール材を抑えて十分な止水効果が生じるものを選ぶ。
【００３９】
図３（Ｂ）は背面支持部材２０を貯蔵する際の態様を示したものである。蝶番６，７によって水平部材８、鉛直部材５、斜め部材２が接続されているので図３（Ｂ）に示すように折り畳んで貯蔵空間を減ずることができる。
【００４０】
図４に示す端部背面支持部材の説明をする。止水装置の左右の端部を建造物の形態によらずに止水するために建造物へ止水された状態で固定される断面コの字型の端部固定部材６０を用いる。止水装置の左右の端部がこの端部固定部のコの字型の隙間へ納められ、止水板と端部固定部との間を止水シール材で充填して止水効果を高める。
【００４１】
止水板の上端を弾性体４で下方へ加圧すると止水板の上端を背面方向へ引っ張る作用が生じる。そうすると止水板の下端が前方へ滑り出すトルクを生じる。このトルクに対して止水板1の端部が挿入された建造物に固定される端部固定部材６０により止水板の下端の前方への移動を防止することができる。
【００４２】
端部固定部材６０を使わずに直に水装置の左右の端部を建造物へ接する場合は止水板の全体を建造物方向へ加圧する必要が生じる。止水装置の背面に建造物が有る場合、止水装置１の下部に対して、図４において背面引張具８２が端部付近の止水板の下をくぐり止水板の下端の前面に掛かっていて背面方向へ延伸した水平金具８１の端部の取付け部材８３との間に張られた背面引張弾性体４１により止水板１の端部付近の下端を背面方向へ引張って止水装置を建物へ押し付ける。
【００４３】
さらに止水板１の背面より離れた位置から背面引張弾性体４２によって止水板の上端を背面方向へ引張ることで止水板全体に背面方向へ応力を加えて止水装置の左右の端部を建造物へ押し付けるのでコの字型の端部固定部材６０を使わない場合も確実な止水を行うことができる。
【００４４】
図５を用いて幅調整部の説明をする。止水装置１０は定形の止水板例えば幅９０ｃｍを並べて建造物の開口部を止水するがその開口部の幅が９０ｃｍの倍数とは限らない。図５に示すのは２枚の幅調整板３１，３２からなる幅調整部３０である。幅調整板３１には水平方向に長穴３７が複数設けられ、幅調整板３２にもボルトを通す穴が設けられる。所定の幅に調整してこの穴へ蝶ボルト３５を通して２枚の幅調整板をナットで共締めにする。長穴３７やボルトの穴は止水テープなどで覆い止水を行う。
【００４５】
幅調整部３０の両端はコの字型収納部３３，３４になっておりその隙間へ止水板１を納め止水板と収納部の壁の間へ止水シール材を挿入することで効果的に止水することができる。
【００４６】
図６にアンカーボルトを挿入する下穴１０１の様子を示す。下穴１０１は使用するアンカーボルトに規定される大きさに加工する。使用するアンカーボルトはテーパー式が好適である。止水装置を設置する際にアンカーボルトを背面支持部材の水平部材の穴を通して床１００に開けた下穴１０１へ挿入して規定のトルクで締め付けて固定する。止水装置を撤去後は下穴１０１にゴミなどが入らないようにアンカーボルトキャップ１０２をかぶせておくことが望ましい。
【００４７】
図７を用いて本発明の応用例である囲み型の止水装置を説明する。予め設置したアンカーボルト３を囲むように止水板１を並べ背面支持部材２０により背面を支える。複数の止水板１が扉の開閉の妨げにならないような空間を保持した状態で並べられる。
【００４８】
本発明を実施するための最良の構成、方法などは、今までの記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００４９】
１  止水板
２  斜め部材
３  アンカーボルト
４  弾性体
５  鉛直部材
１５  蝶ボルト
６、７  蝶番
８  水平部材
９  蝶ボルト受けナット
１０  止水装置
２０  背面支持部材
３０  幅調整部
３１，３２  幅調整板
３３，３４  コの字型収納部
３５  蝶ボルト
３６  蝶ボルト受けナット
４１，４２  背面引張弾性体
５０  止水板の結合部分
５１  止水板をつなぐ蝶番
６０  コの字型端部固定部材
７０  止水シール材
８１  水平部材の延伸部
８２  背面引張具
８３，８４  取付け部材
１００  床、地面
１０１  アンカーボルト下穴
１０２  アンカーボルトキャップ
【図１】
2019070280.tif 000003
【図２】
2019070280.tif 000004
【図３】
2019070280.tif 000005
【図４】
2019070280.tif 000006
【図５】
2019070280.tif 000007
【図６】
2019070280.tif 000008
【図７】
2019070280.tif 000009